(57)【要約】【課題】複数の光源モジュールを接続することができる接続部材等を提供することを目的とする。【解決手段】複数個の発光素子が配線体に実装されてなる第一光源モジュールと第二光源モジュールとを電気的に接続する接続部材６３において、第一光源モジュールにおける第一端子部に直接接続する第一接続部６３５，６３１ｂと、第二光源モジュールにおける第二端子部に直接接続する第二接続部６３３，６３１ａと、第一接続部６３５，６３１ｂと第二接続部６３３，６３１ａとを連結する導電性の連結部６３１とを有する。【選択図】図５
2019114329.tif 000002
【特許請求の範囲】
【請求項１】
複数個の発光素子が配線体に実装されてなる第一光源モジュールと第二光源モジュールとを電気的に接続する接続部材において、
前記第一光源モジュールにおける第一端子部に直接接続する第一接続部と、
前記第二光源モジュールにおける第二端子部に直接接続する第二接続部と
前記第一接続部と前記第二接続部とを連結する導電性の連結部と
を有する
接続部材。
【請求項２】
前記第一光源モジュールは前記第一端子部に第一貫通孔を有し、
前記第二光源モジュールは前記第二端子部に第二貫通孔を有し、
前記連結部は板状の金属からなり、
前記第一接続部は前記連結部に対して立設して前記第一貫通孔に挿入される第一立設部により構成され、
前記第二接続部は前記連結部に対して立設して前記第二貫通孔に挿入される第二立設部により構成されている
請求項１に記載の接続部材。
【請求項３】
前記第一立設部は、前記第一貫通孔に圧入される構造であり、
前記第二立設部は、前記第二貫通孔に圧入される構造である
請求項２に記載の接続部材。
【請求項４】
複数個の発光素子が配線体に実装されてなる第一光源モジュールと第二光源モジュールとを接続部材で電気的に接続してなる光源ユニットにおいて、
前記接続部材は請求項１〜３の何れか１項に記載の接続部材である
光源ユニット。
【請求項５】
複数個の発光素子が第一配線体に実装されてなる第一光源モジュールと、複数個のＬＥＤ素子が第一配線体に実装されてなる第二光源モジュールとが電気的に接続してなる光源ユニットにおいて、
前記第一配線体は離間する複数個の第一導電片から構成され、前記複数個のＬＥＤ素子は前記複数個の第一導電片に跨るように実装され、
前記第二配線体は離間する複数個の第二導電片から構成され、前記複数個のＬＥＤ素子は前記複数個の第二導電片に跨るように実装され、
前記第一配線体における導電路の端部に位置する第一導電片の第一端子部と、前記第二配線体における導電路の端部に位置する第二導電片の第二端子部とが電気的に直接接続されている
光源ユニット。
【請求項６】
前記第一端子部及び前記第二端子部の一方は貫通孔を有し、
前記第一端子部及び前記第二端子部の他方は、素子実装に対して立設して前記貫通孔に挿入する立設部を有する
請求項５に記載の光源ユニット。
【請求項７】
前記立設部は、前記貫通孔に圧入される構造である
請求項６に記載の光源ユニット。
【請求項８】
前記第一端子部及び前記第二端子部の一方は凹部分を有し、
前記第一端子部及び前記第二端子部の他方は、前記凹部分に嵌合する凸部分を有する
請求項５に記載の光源ユニット。
【請求項９】
前記第一端子部及び前記第二端子部はピン形状をしたピン形状部分を有し、
前記ピン形状部分同士が短絡ソケットにより電気的に接続されている
請求項５に記載の光源ユニット。
【請求項１０】
複数個の発光素子が第一配線体に実装されてなる第一光源モジュールと、複数個の発光素子が第二配線体に実装されてなる第二光源モジュールとが電気的に接続してなる光源ユニットを備える照明装置において、
前記光源ユニットが請求項４〜９の何れか１項に記載の光源ユニットである
照明装置。
【請求項１１】
複数個の発光素子が第一配線体に実装されてなる第一光源モジュールと、複数個の発光素子が第二配線体に実装されてなる第二光源モジュールとが電気的に接続してなる光源ユニットを備える照明装置において、
前記光源ユニットが請求項５〜９の何れか１項に記載の光源ユニットであり、
前記第一配線体及び前記第二配線体の少なくとも一方が樹脂製の筐体と一体化されている
照明装置。
【発明の詳細な説明】
【技術分野】
【０００１】
本発明は、発光素子を備える複数の光源モジュールを接続する接続部材、電気的に接続された複数の光源モジュールを備える光源ユニット、当該光源ユニットを備える照明装置に関し、特にコストを低減するための技術に関する。
【背景技術】
【０００２】
近年、発光素子の一例であるＬＥＤを用いた照明装置の普及は目覚しく、従来よりも高品質、及び低価格な製品の開発が望まれている。
例えば、「２枚以上のＬＥＤ基板の各々の位置を、第１の側端から第２の側端にかけて連続して覆うことにより規制して、ＬＥＤ基板に変形や亀裂が生じ難く、且つ規制部材によってＬＥＤ基板や反射シートを傷付けることのないＬＥＤ照明装置」が特許文献１に開示されている。
【先行技術文献】
【特許文献】
【０００３】
【特許文献１】特開２０１５−１９１８９２号公報
【発明の概要】
【発明が解決しようとする課題】
【０００４】
特許文献１に開示された照明装置は、発光に寄与せず基板間の接続のためだけに使用される第１のコネクタ６７及び第２のコネクタ６８を各々のＬＥＤ基板上に実装している。また、ＬＥＤ基板を規制した後に、隣り合うＬＥＤ基板上のコネクタ間を配線１１、２１で接続している。
このように、コネクタや配線が必要であり、また、これを実装したり、接続したりする工程が必要となる。
【０００５】
本発明は以上のような従来の課題を考慮してなされたものであり、従来よりもコストを低減して、複数の光源モジュールを接続することができる接続部材、光源ユニット及び照明装置を提供することを目的とする。
【課題を解決するための手段】
【０００６】
本発明に係る接続部材は、複数個の発光素子が配線体に実装されてなる第一光源モジュールと第二光源モジュールとを電気的に接続する接続部材において、前記第一光源モジュールにおける第一端子部に直接接続する第一接続部と、前記第二光源モジュールにおける第二端子部に直接接続する第二接続部と前記第一接続部と前記第二接続部とを連結する導電性の連結部とを有する。
本発明に係る光源ユニットは、複数個の発光素子が配線体に実装されてなる第一光源モジュールと第二光源モジュールとを接続部材で電気的に接続してなる光源ユニットにおいて、前記接続部材は上記の接続部材である。
本発明に係る光源ユニットは、複数個の発光素子が第一配線体に実装されてなる第一光源モジュールと、複数個のＬＥＤ素子が第一配線体に実装されてなる第二光源モジュールとが電気的に接続してなる光源ユニットにおいて、前記第一配線体は離間する複数個の第一導電片から構成され、前記複数個のＬＥＤ素子は前記複数個の第一導電片に跨るように実装され、前記第二配線体は離間する複数個の第二導電片から構成され、前記複数個のＬＥＤ素子は前記複数個の第二導電片に跨るように実装され、前記第一配線体における導電路の端部に位置する第一導電片の第一端子部と、前記第二配線体における導電路の端部に位置する第二導電片の第二端子部とが電気的に直接接続されている。
本発明に係る照明装置は、複数個の発光素子が第一配線体に実装されてなる第一光源モジュールと、複数個の発光素子が第二配線体に実装されてなる第二光源モジュールとが電気的に接続してなる光源ユニットを備える照明装置において、前記光源ユニットが上記の光源ユニットであり、前記第一配線体及び前記第二配線体の少なくとも一方が樹脂製の筐体と一体化されている。
本発明に係る照明装置は、複数個の発光素子が第一配線体に実装されてなる第一光源モジュールと、複数個の発光素子が第二配線体に実装されてなる第二光源モジュールとが電気的に接続してなる光源ユニットを備える照明装置において、前記光源ユニットが上記の光源ユニットであり、前記第一配線体及び前記第二配線体の少なくとも一方が樹脂製の筐体と一体化されている。
【発明の効果】
【０００７】
本発明に係る接続部材は、コネクタ等を用いずに、光源モジュールに直接接続するため、コストを低減できる。
【図面の簡単な説明】
【０００８】
【図１】（ａ）は照明装置を斜め上方から見た斜視図であり、（ｂ）は照明装置を図１（ａ）中に示したＹ軸方向のプラス側（矢印Ｙの示す方向側）から見た側面図であり、（ｃ）は照明装置を図１（ａ）中に示したＸ軸方向のプラス側（矢印Ｘの示す方向側）から見た側面図である。
【図２】照明装置の分解斜視図である。
【図３】光源ユニットの平面図である。
【図４】光源モジュールの平面図である。
【図５】（ａ）は実施形態１に係る接続部材の斜視図であり、（ｂ）は第一光源ユニットの電気接続を説明する図である。
【図６】接続部材の接続状態を示す概略図である。
【図７】（ａ）は実施形態２に係る接続部材の斜視図であり、（ｂ）は電気接続を説明する図である。
【図８】実施形態３に係る光源ユニットの平面図である。
【図９】光源モジュールの接続状態を示す概略図である。
【図１０】実施形態４に係る光源ユニットの平面図である。
【図１１】変形例に係る設状態を示す概略図である。
【発明を実施するための形態】
【０００９】
＜概要＞
一態様に係る接続部材は、複数個の発光素子が配線体に実装されてなる第一光源モジュールと第二光源モジュールとを電気的に接続する接続部材において、前記第一光源モジュールにおける第一端子部に直接接続する第一接続部と、前記第二光源モジュールにおける第二端子部に直接接続する第二接続部と前記第一接続部と前記第二接続部とを連結する導電性の連結部とを有する。
別態様に係る接続部材において、前記第一光源モジュールは前記第一端子部に第一貫通孔を有し、前記第二光源モジュールは前記第二端子部に第二貫通孔を有し、前記連結部は板状の金属からなり、前記第一接続部は前記連結部に対して立設して前記第一貫通孔に挿入される第一立設部により構成され、前記第二接続部は前記連結部に対して立設して前記第二貫通孔に挿入される第二立設部により構成されている。
別態様に係る接続部材において、前記第一立設部は、前記第一貫通孔に圧入される構造であり、前記第二立設部は、前記第二貫通孔に圧入される構造である。
【００１０】
一態様に係る光源ユニットは、複数個の発光素子が配線体に実装されてなる第一光源モジュールと第二光源モジュールとを接続部材で電気的に接続してなる光源ユニットにおいて、前記接続部材は上記の接続部材である。
別態様に係る光源ユニットは、複数個の発光素子が第一配線体に実装されてなる第一光源モジュールと、複数個のＬＥＤ素子が第一配線体に実装されてなる第二光源モジュールとが電気的に接続してなる光源ユニットにおいて、前記第一配線体は離間する複数個の第一導電片から構成され、前記複数個のＬＥＤ素子は前記複数個の第一導電片に跨るように実装され、前記第二配線体は離間する複数個の第二導電片から構成され、前記複数個のＬＥＤ素子は前記複数個の第二導電片に跨るように実装され、前記第一配線体における導電路の端部に位置する第一導電片の第一端子部と、前記第二配線体における導電路の端部に位置する第二導電片の第二端子部とが電気的に直接接続されている。
別態様に係る光源ユニットにおいて、前記第一端子部及び前記第二端子部の一方は貫通孔を有し、前記第一端子部及び前記第二端子部の他方は、素子実装に対して立設して前記貫通孔に挿入する立設部を有する。
別態様に係る光源ユニットにおいて、前記立設部は、前記貫通孔に圧入される構造である。
別態様に係る光源ユニットにおいて、前記第一端子部及び前記第二端子部の一方は凹部分を有し、前記第一端子部及び前記第二端子部の他方は、前記凹部分に嵌合する凸部分を有する。
別態様に係る光源ユニットにおいて、前記第一端子部及び前記第二端子部はピン形状をしたピン形状部分を有し、前記ピン形状部分同士が短絡ソケットにより電気的に接続されている。
【００１１】
一態様に係る照明装置は、複数個の発光素子が第一配線体に実装されてなる第一光源モジュールと、複数個の発光素子が第二配線体に実装されてなる第二光源モジュールとが電気的に接続してなる光源ユニットを備える照明装置において、前記光源ユニットが上記の光源ユニットである。
別態様に係る照明装置は、複数個の発光素子が第一配線体に実装されてなる第一光源モジュールと、複数個の発光素子が第二配線体に実装されてなる第二光源モジュールとが電気的に接続してなる光源ユニットを備える照明装置において、前記光源ユニットが上記の光源ユニットであり、前記第一配線体及び前記第二配線体の少なくとも一方が樹脂製の筐体と一体化されている。
【００１２】
＜実施形態１＞
１．全体構成
【００１３】
照明装置１は、図１（ａ）〜（ｃ）及び図２に示すように、スクエア型の照明装置であって、光源部２、及び光源部２を収容する収容取付部３を備える。
光源部２は、ヒートシンク５、ヒートシンク５の主面（他の平面よりも面積が突出して大きい２つの平面）のうちの一方（以下、「表主面」と記す）側に設けられた複数の光源ユニット６、ヒートシンク５の主面のうちの他方（以下、「裏主面」と記す）側に設けられた点灯回路ユニット７、ヒートシンク５の表主面側に設けられて複数の光源ユニット６等を覆う反射シート８、ヒートシンク５の表側主面に設けられて反射シート８及び複数の光源ユニット６等を覆うカバーパネル９を含む。
収容取付部３は、光源部２を収容し、照明装置１の全体を天井や壁などの設置面に取り付ける際に用いられる。なお、照明装置１を建物の天井に取り付ける場合には、図１（ａ）〜（ｃ）におけるＺ軸方向のマイナス側（矢印Ｚの示す方向の反対の下側方向）が建物の天井側となり、Ｚ軸方向のプラス側（矢印Ｚの示す上側方向）が建物の床側となる。
以下に、光源部２の各構成要素について説明する。
【００１４】
２．光源部
（１）ヒートシンク
ヒートシンク５は、放熱性を高めるために用いられ、図１（ａ）〜（ｃ）及び図２に示すように、平面視による形状（以下、「平面視形状」と記す）が矩形である支持板５１及び支持板５１の外周部に沿って設けられ且つ支持板５１の表主面からカバーパネル９に向かって斜め（略垂直方向であってもよい）に延びる４つの側板を有する。ヒートシンク５には、支持板５１の略中央部に２つの貫通孔５３ａ，５３ｂが設けられている。
【００１５】
上記４つの側板は、支持板５１の外周の４辺のそれぞれに沿って配置された第１側板５５、第２側板５６、第３側板５７、及び第４側板５８からなり、表主面５１ａ側に傾いている。また第１側板５５と、第１側板５５に対向する第３側板５７とは、支持板５１と一体化している。つまり、平面視形状が長方形である板状の金属の長手方向の両端を曲げて、中央部分を支持板５１とし、曲げた先の部分を第１側板５５及び第３側板５７としている。第２側板５６と第４側板５８とは、ネジ、ロックピン、又はリベット等の締結部材５９（図１（ｃ）参照）を用いて、第１側板５５、第３側板５７、及び支持板５１に取り付けられている。
【００１６】
（２）光源ユニット
光源ユニット６は、図３に示すように、複数枚（ここでは８枚）の光源モジュール６１と、複数枚の光源モジュール６１を電気的に接続する１個又は複数個（ここでは６個）の接続部材６３とから構成されている。ここでは、光源ユニット６は、４枚の光源モジュール６１を直列接続してなる第一光源ユニット６Ａと、４枚の光源モジュール６１を直列接続してなる第二光源ユニット６Ｂとを含む。なお、第一光源ユニット６Ａと第二光源ユニット６Ｂとを区別する必要がない場合、光源ユニット６として説明する。
【００１７】
（２−１）光源モジュール
光源モジュール６１は、図４に示すように、平面視による形状が例えば矩形枠状の配線体６１１と、配線体６１１に実装された１個又は複数個（本実施形態では、例えば２８個）のＬＥＤ素子６１３とを備える。なお、本実施形態でのＬＥＤ素子６１３は表面実装型であり、例えば白色光を発する。
配線体６１１は複数個（本実施形態では、例えば８個）の導電片６１４により構成され、複数個の導電片６１４は互いに離間している。１個又は複数個（本実施形態では、例えば４個）のＬＥＤ素子６１３は離間する２個の導電片６１４に跨るようにして、配線体６１１に実装されている。なお、導電片として、例えば、金属薄板や、紙材や樹脂板に導電層をコートした導電板等を利用できる。
配線体６１１は、必要に応じて、離間する導電片６１４を補強する補強部材６１７を１個又は複数個（本実施形態では、例えば４個）備えてもよい。補強部材６１７は、例えば絶縁性樹脂により構成され、離間する導電片６１４を架設して、２つの導電片６１４がズレるのを規制している。
複数個の導電片６１４は、ＬＥＤ素子６１３を実装する面であって素子を実装する領域（実装領域とする）を除いた領域（非実装領域とする）に絶縁層６１９を有している。これにより電気的な安全性を確保できる。なお、ここでは、絶縁層６１９は白色で構成された反射層でもある。
【００１８】
導電片６１４は、最も高電位となる高導電片６１５と、最も低電位となる低導電片６１６とを含み、高導電片６１５と低導電片６１６を他の導電片と区別する。高導電片６１５と低導電片６１６は配線体６１１における導電路の端部に位置する。なお、高導電片６１５と低導電片６１６とを区別する必要がない場合、導電片６１４として説明する。
配線体６１１は、高導電片６１５の非実装領域に高端子部を、低導電片６１６の非実装領域に低端子部をそれぞれ有する。
高端子部は、隣接する他の光源モジュール６１の低導電片６１６の低端子部に接続部材６３を介して電気的に接続される。低端子部は、隣接する他の光源モジュール６１の高導電片６１５の高端子部に接続部材６３を介して電気的に接続される。
配線体６１１は、高導電片６１５の高端子部に高貫通孔６１５ａを有し、低導電片６１６の低端子部に低貫通孔６１６ａを有する。
【００１９】
なお、インサート成形等により複数個の導電片６１４を複数セットまとめて樹脂製の筐体と一体化させることもできる。これにより光源ユニット６を筐体に取り付ける作業が簡素化される上に、筐体を金属製とする場合と比べて軽量化することができる。
ここで、インサート成形とは、金型内にインサート品（本実施形態では複数個の導電片６１４又は複数の配線体６１１）を配置し、溶融状態の樹脂を金型内に注入してインサート品と一体化した後に樹脂を硬化又は固化させる成形方法である。
【００２０】
（２−２）接続部材
図５の（ａ）は接続部材６３の外観を示す斜視図であり、（ｂ）は第一光源ユニット６Ａの電気接続を説明する図である。以下、図５を用いて説明する。
接続部材６３は隣接する２つの光源モジュール６１を電気的（直列）に接続する。高電位側に位置する光源モジュール６１を第一光源モジュール６１Ａとし、低電位側に位置する光源モジュール６１を第二光源モジュール６１Ｂとして以下説明する。
接続部材６３は、導電材料から構成され、本体部６３１と、本体部６３１設けられた第一立設部６３３と、本体部６３１に設けられた第二立設部６３５とを有している。なお、本体部６３１は、第一立設部６３３と第二立設部６３５とを連結する連結部を構成する。
ここでの接続部材６３は、１枚の金属板を利用しており、本体部６３１は矩形状をし、長手方向の一端部６３１ａに第一立設部６３３が、長手方向の他端部６３１ｂに第二立設部６３５がそれぞれ設けられている。
第一立設部６３３は第一光源モジュール６１Ａの低導電片６１６Ａの低貫通孔６１６Ａａに挿入可能に構成されている。第二立設部６３５は第二光源モジュール６１Ｂの高導電片６１５Ｂの高貫通孔６１５Ｂａに挿入可能に構成されている。
【００２１】
接続部材６２は、最も低電位側に位置する光源モジュール６１と第一点灯回路ユニット７１とを接続する。接続部材６２は、導電材料から構成され、本体部６２１と、本体部６２１に設けられた立設部６２３とを有している
ここでの接続部材６２は、１枚の金属板を利用しており、本体部６２１は矩形状をし、長手方向の一端部６２１ａに立設部６２３が設けられている。
立設部６２３は最も低電位側に位置する光源モジュール６１の低導電片６１６の低貫通孔６１６ａに挿入可能に構成されている。本体部６２１の長手方向の他端部６２１ｂは、第一点灯回路ユニット７１に接続され且つ貫通孔５３ａから延出するケーブル６６に半田接続されている。
【００２２】
接続部材６４は、最も高電位側に位置する光源モジュール６１と第一点灯回路ユニット７１とを接続する。接続部材６４は、導電材料から構成され、本体部６４１と、本体部６４１に設けられた立設部６４３とを有している
ここでの接続部材６４は、１枚の金属板を利用しており、本体部６４１は矩形状をし、長手方向の他端部６４１ｂに立設部６４３が設けられている。
立設部６４３は最も高電位側に位置する光源モジュール６１の高導電片６１５の高貫通孔６１５ａに挿入可能に構成されている。本体部６４１の長手方向の一端部は、第一点灯回路ユニット７１に接続され且つ貫通孔５３ａから延出するケーブル６６に半田接続されている。
【００２３】
（２−３）接続
本実施形態では、図３に示すように矩形枠状の光源モジュール６１をその短手方向に複数個配置し、図４に示すように高貫通孔６１５ａと低貫通孔６１６ａは、短手方向に延伸する矩形状又は矩形状に近い形状をしている。
このため、接続部材６３における本体部６３１が光源モジュール６１の長手方向と直交するように、隣接する２個の第一光源モジュール６１Ａと第二光源モジュール６１Ｂとを接続する。第一立設部６３３は本体部６３１の一端部６３１ａの短手方向の一端から立設し、第二立設部６３５は本体部６３１の他端部６３１ｂの短手方向の他端から立設している。
第一立設部６３３は第一光源モジュール６１Ａの低貫通孔６１６Ａａに裏側から挿入され、第二立設部６３５は第二光源モジュール６１Ｂの高貫通孔６１５Ｂａに裏側から挿入される。これにより、ＬＥＤ素子６１３からの光が接続部材６３により遮られるのを抑えながら電気接続できる。
なお、接続部材６３の第一立設部６３３と第一光源モジュール６１Ａの低端子部との接続と、接続部材６３の第二立設部６３５と第二光源モジュール６１Ｂの高端子部との接続、接続部材６２の立設部６２３と最も高電位の光源モジュール６１との接続、接続部材６４の立設部６４３と最も低電位の光源モジュール６１との接続とは同じ接続方法であるため、第一立設部６３３側の接続について主に説明する。
【００２４】
（２−３−１）接続１
第一立設部６３３の横断面形状は、第一光源モジュール６１Ａの低貫通孔６１６Ａａにおける貫通方向と直交する断面形状と略一致している。ここでは、細長い矩形状をしている。
第一立設部６３３は第一光源モジュール６１Ａの低貫通孔６１６Ａａに第一光源モジュール６１Ａの裏側から挿入される。
この際、図６（ａ）に示すように、低貫通孔６１６Ａａと第一立設部６３３との間を半田６５で埋めることで、電気的接続を行うことができる。
同様に、第二立設部６３５が裏側から第二光源モジュール６１Ｂの高貫通孔６１５Ｂａに挿入する状態で、高貫通孔６１５Ｂａと第二立設部６３５との間を半田６５で埋めることで、電気的接続が行われる。
この接続の場合、第一光源モジュール６１Ａの低導電片６１６Ａの低端子部が第一端子部の一例に相当し、第二光源モジュール６１Ｂの高導電片６１５Ｂの高端子部が第二端子部の一例に相当し、第一立設部６３３が第一接続部の一例に相当し、第二立設部６３５が第二接続部の一例に相当する。なお、低貫通孔６１６Ａａが第一貫通孔の一例に相当し、高貫通孔６１５Ｂａが第二貫通孔の一例に相当する。
【００２５】
（２−３−２）接続２
第一立設部６３３は、第一光源モジュール６１Ａの低貫通孔６１６Ａａが形成されている低導電片６１６Ａと本体部６３１の一端部６３１ａとが当接（接触）する状態に、低貫通孔６１６Ａａに挿入される。この際、一端部６３１ａと低導電片６１６Ａとを半田を介して当接又は直接当接させることで、確実に電気的接続を行うことができる。
同様に、第二光源モジュール６１Ｂの高導電片６１５Ｂと本体部６３１の他端部６３１ｂとが当接（接触）するように、第二立設部６３５を高貫通孔６１５Ｂａに挿入することで、電気的接続が行われる。
この接続の場合、第一光源モジュール６１Ａの低導電片６１６Ａの低端子部が第一端子部の一例に相当し、第二光源モジュール６１Ｂの高導電片６１５Ｂの高端子部が第二端子部の一例に相当し、本体部６３１の一端部６３１ａが第一接続部の一例に相当し、本体部６３１の他端部６３１ｂが第二接続部の一例に相当する。なお、低貫通孔６１６Ａａが第一貫通孔の一例に相当し、高貫通孔６１５Ｂａが第二貫通孔の一例に相当する。
【００２６】
（２−３−３）接続３
第一立設部６３３を第一光源モジュール６１Ａの低貫通孔６１６Ａａに挿入した後、低貫通孔６１６Ａａから延出している第一立設部６３３の先端部分を、第一光源モジュール６１Ａの低導電片６１６Ａに接触するように、屈曲させることで、電気的接続を行うことができる。
同様に、第二光源モジュール６１Ｂの高貫通孔６１５Ｂａから延出している第二立設部６３５の先端部分を第二光源モジュール６１Ｂの高導電片６１５Ｂに接触するように屈曲させることで、電気的接続が行われる。
この接続の場合、第一光源モジュール６１Ａの低導電片６１６Ａの低端子部（（絶縁層は形成されていない）であって第一立設部１６３３の先端部分と接触する部分）が第一端子部の一例に相当し、第二光源モジュール６１Ｂの高導電片６１５Ｂの高端子部（（絶縁層は形成されていない）であって第二立設部１６３５の先端部分と接触する部分）が第二端子部の一例に相当し、第一立設部６３３の先端部分が第一接続部の一例に相当し、第二立設部６３５の先端部分が第二接続部の一例に相当する。なお、低貫通孔６１６Ａａが第一貫通孔の一例に相当し、高貫通孔６１５Ｂａが第二貫通孔の一例に相当する。
【００２７】
（２−３−４）接続４
第一立設部６３３及び第二立設部６３５は、低貫通孔６１６Ａａ及び高貫通孔６１５Ｂａに挿入される際に、低貫通孔６１６Ａａ及び高貫通孔６１５Ｂａを圧入するように構成されている、ここでは、低貫通孔６１６Ａａ及び高貫通孔６１５Ｂａの断面形状は矩形状又は矩形状に似た形状をし、接続部材６３は、低貫通孔６１６Ａａ及び高貫通孔６１５Ｂａの横断面における短手方向の開口寸法よりも大きな寸法の厚みの金属板により構成されている。
第一立設部６３３は、図６（ｂ）に示すように、低貫通孔６１６Ａａに圧入されることで、電気的接続を行うことができる。同様に、第二立設部６３５は、高貫通孔６１５Ｂａに圧入されることで、電気的接続を行うことができる。
この接続の場合、第一光源モジュール６１Ａの低導電片６１６Ａの低端子部が第一端子部の一例に相当し、第二光源モジュール６１Ｂの高導電片６１５Ｂの高端子部が第二端子部の一例に相当し、第一立設部６３３が第一接続部の一例に相当し、第二立設部６３５が第二接続部の一例に相当する。なお、低貫通孔６１６Ａａが第一貫通孔の一例に相当し、高貫通孔６１５Ｂａが第二貫通孔の一例に相当する。
【００２８】
なお、立設部（６３３，６３５）の長手方向の寸法を、貫通孔（６１６ａ，６１５ａ）の横断面における長手方向の開口寸法よりも大きくすることで、立設部（６３３，６３５）を貫通孔（６１６ａ．６１５ａ）に対して圧入できる。また、立設部（６３３，６３５）の横断面における面積を、貫通孔（６１６ａ，６１５ａ）の開口面積より大きくすることで、圧入可能な構成となる。
なお、接続部材６３が接続すべき高導電片６１５、低導電片６１６以外の導電片６１４と接触するおそれがある場合、図６に示すように、導電片６１４と接続部材６３との間に絶縁シート６７を配してもよい。
【００２９】
（３）点灯回路ユニット
複数枚の光源モジュール６１が複数個の接続部材６３により電気的に接続された光源ユニット６は点灯回路ユニット７と接続されることにより点灯する。
図３に示すように、光源ユニット６は例えば８枚の光源モジュール６１を有し、Ｘ軸方向に所定の距離を保ちながら整列している。ここで８枚の光源モジュール６１のうちの紙面の右側に並ぶ４枚の光源モジュール６１が、接続部材６３により電気的に直列に接続されることにより、第一光源ユニット６Ａが構成され、第一点灯回路ユニット７１に接続されることにより点灯する。
【００３０】
同様に紙面の左側に並ぶ４枚の光源モジュール６１が、接続部材６３により電気的に直列に接続されることにより、第二光源ユニット６Ｂが構成され、第二点灯回路ユニット７２に接続されることにより点灯する。
【００３１】
（４）反射シート
反射シート８は、発光方向外に照射された光を効率よく反射して、発光効率を高めるために用いられ、図２に示すように、ヒートシンク５が有する支持板５１の表主面５１ａ側に配置され、複数枚の光源モジュール６１を連続して覆う主面反射シート８１、及びヒートシンク５が有する４つの側板のうちの主面反射シート８１の側を向いている側面を覆う４つの側面反射シートを有する。
上記４つの側面反射シートは、ヒートシンク５の第１側板５５のうち主面反射シート８１の側を向いている側面を覆う第１側面反射シート８５、第２側板５６のうち主面反射シート８１の側を向いている側面を覆う第２側面反射シート８６、第３側板５７のうち主面反射シート８１の側を向いている側面を覆う第３側面反射シート８７、第４側板５８のうち主面反射シート８１の側を向いている側面を覆う第４側面反射シート８８からなる。
反射シート８は、例えばロックピン又はプッシュピン等の締結部材（図示せず）を用いて、ヒートシンク５に取り付けられる。
【００３２】
（５）カバーパネル
図２に示すように、カバーパネル９は、平面形状が矩形のパネル板９１、及びパネル板９１の外周部に取り付けられる枠体９２を有する。パネル板９１は、光源ユニット６の各ＬＥＤ素子６１３（図４参照）から発せられた光と、反射シート８によって反射された光とを拡散させて透過する。
【００３３】
枠体９２は、パネル板９１を支持し、これらはヒートシンク５側に固定される。枠体９２は、パネル板９１の外周の４辺のそれぞれに沿って配置された第１フレーム９５、第２フレーム９６、第３フレーム９７、及び第４フレーム９８を有する。これら各フレームの端部は、隣り合うもの同士が連結部材９９を用いて連結されて、枠体９２を構成する。
【００３４】
＜実施形態２＞
実施形態１では、複数枚の光源モジュール６１を接続部材６３により直列に接続している。しかしながら、複数枚の光源モジュールを接続部材により並列に接続してもよい。
実施形態２では、図７に示す接続部材１６３を用いて複数個の光源モジュール６１を並列する場合について説明する。なお、実施形態２における光源モジュールは実施形態１で説明した光源モジュール６１と同じ構成であり、同じ符号を用いて説明する。
【００３５】
１．接続部材
接続部材１６３は、図７に示すように、導電材料から構成され、本体部１６３１と、本体部１６３１設けられた４つの立設部とを有している。ここでも、接続部材１６３は、１枚の金属板を利用しており、本体部１６３１は矩形状をし、連結部の一例に相当する。
立設部は、第一光源ユニット６Ａを構成する４枚の光源モジュール６１を接続するために、４個ある。本体部１６３１の一端１６３１ａ側から第一立設部１６３３、第二立設部１６３５、第三立設部（図７の（ｂ）参照）１６３７、第四立設部１６３９とする。
４つの立設部１６３３，１６３５，１６３７，１６３９は、矩形状の本体部１６３１の一方側の長辺に設けられている。これらの立設部１６３３，１６３５，１６３７，１６３９は長手方向に間隔をおいて設けられている。間隔は、接続する光源モジュール６１の間隔に対している。
ここで、図７の（ｂ）に示すように、接続部材１６３Ａの立設部１６３３，１６３５，１６３７，１６３９は各光源モジュール６１の高貫通孔６１５ａに挿入され、接続部材１６３Ｂの立設部１６３３，１６３５，１６３７，１６３９は各光源モジュール６１の低貫通孔６１６ａに挿入される。
なお、接続部材１６３Ａ，１６３Ｂは、図７の（ｂ）に示すように、貫通孔５３ａから導出するケーブル６６に半田等により接続される。
ここでは、接続部材１６３が各光源モジュール６１の高電位側の高導電片６１５同士を電気的に接続する場合について説明する。
【００３６】
２．接続
第一立設部１６３３は、本体部１６３１の長手方向の一端１６３１ａ側に位置する第一光源モジュール６１Ａの高貫通孔６１５Ａａに挿入され、第二立設部１６３５は第一光源モジュール６１Ａに対して本体部１６３１の長手方向の他端側に隣接する第二光源モジュール６１Ｂの高貫通孔６１５Ｂａに挿入される。同様に、第三立設部１６３７は第三光源モジュール６１Ｃの高貫通孔６１５Ｃａに、第四立設部１６３９は第四光源モジュール６１Ｄの高貫通孔６１５Ｄａにそれぞれ挿入される。
各立設部１６３３，１６３５，１６３７，１６３９と各光源モジュール６１Ａ〜Ｄの接続方法は同じであるため、ここでは第一立設部１６３３と第一光源モジュール６１Ａとの接続について主に説明する。
【００３７】
（１）接続１
第一立設部１６３３は第一光源モジュール６１Ａの高導電片６１５Ａの高貫通孔６１５Ａａに第一光源モジュール６１Ａの裏側から挿入される。
この際、第一光源モジュール６１Ａの高貫通孔６１５Ａａと接続部材１６３の第一立設部１６３３との間を半田で埋めることで、電気的接続を行うことができる。
同様に、第二立設部１６３５が第二光源モジュール６１Ｂの高導電片６１５Ｂの高貫通孔６１５Ｂａに裏側から挿入されて半田で接続される。
この接続の場合、第一光源モジュール６１Ａの高導電片６１５Ａの高端子部が第一端子部の一例に相当し、第二光源モジュール６１Ｂの高導電片６１５Ｂの高端子部が第二端子部の一例に相当し、第一立設部１６３３が第一接続部の一例に相当し、第二立設部１６３５が第二接続部の一例に相当する。なお、第一光源モジュール６１Ａの高貫通孔６１５Ａａが第一貫通孔の一例に相当し、第二光源モジュール６１Ｂの高貫通孔６１５Ｂａが第二貫通孔の一例に相当する。
【００３８】
（２）接続２
第一立設部１６３３は、第一光源モジュール６１Ａの高貫通孔６１５Ａａが形成されている高導電片６１５Ａと本体部１６３１の第一立設部１６３３の第一基部周辺部とが当接（接触）する状態に、高貫通孔６１５Ａａに挿入される。この際、第一基部周辺部と高導電片６１５Ａとを半田を介して当接又は直接当接させることで、電気的接続を行うことができる。
同様に、第二光源モジュール６１Ｂの高導電片６１５Ｂと、第二立設部１６３５の第二基部周辺部とが当接（接触）するように、第二立設部１６３５を高貫通孔６１５Ｂａに挿入することで、電気的接続が行われる。
この接続の場合、第一光源モジュール６１Ａの高導電片６１５Ａの高端子部が第一端子部の一例に相当し、第二光源モジュール６１Ｂの高導電片６１５Ｂの高端子部が第二端子部の一例に相当し、第一基部周辺部が第一接続部の一例に相当し、第二基部周辺部が第二接続部の一例に相当する。なお、第一光源モジュール６１Ａの高貫通孔６１５Ａａが第一貫通孔の一例に相当し、第二光源モジュール６１Ｂの高貫通孔６１５Ｂａが第二貫通孔の一例に相当する。
【００３９】
（３）接続３
第一立設部１６３３を第一光源モジュール６１Ａの高貫通孔６１５Ａａに挿入した後、高貫通孔６１５Ａａから延出している第一立設部１６３３の先端部分を、第一光源モジュール６１Ａの高導電片６１５Ａに接触するように、屈曲させることで、電気的接続を行うことができる。
同様に、第二光源モジュール６１Ｂの高貫通孔６１５Ｂａから延視している第二立設部１６３５の先端部分を第二光源モジュール６１Ｂの高導電片６１５Ｂに接触するように屈曲させることで、電気的接続が行われる。
この接続の場合、第一光源モジュール６１Ａの高導電片６１５Ａの高端子部（（絶縁層は形成されていない）であって第一立設部１６３３の先端部分と接触する部分）が第一端子部の一例に相当し、第二光源モジュールの６１Ｂの高導電片６１５Ｂの高端子部（（絶縁層は形成されていない）であって第二立設部１６３５の先端部分と接触する部分）が第二端子部の一例に相当し、第一立設部１６３３の先端部分が第一接続部の一例に相当し、第二立設部１６３５の先端部分が第二接続部の一例に相当する。なお、第一光源モジュール６１Ａの高貫通孔６１５Ａａが第一貫通孔の一例に相当し、第二光源モジュール６１Ｂの高貫通孔６１５Ｂａが第二貫通孔の一例に相当する。
【００４０】
（４）接続４
第一立設部１６３３及び第二立設部１６３５は、高貫通孔６１５Ａａ，６１５Ｂａに挿入される際に、高貫通孔６１５Ａａ，６１５Ｂａを圧入するように構成されている、ここでは、高貫通孔６１５Ａａ，６１５Ｂａの断面形状は矩形状又は矩形状に似た形状をし、接続部材１１６３は、高貫通孔６１５Ａａ，６１５Ｂａの横断面における短手方向の開口寸法よりも大きな寸法の厚みの金属板により構成されている。
第一立設部１６３３は、高貫通孔６１５Ａａに圧入されることで、電気的接続を行うことができる。同様に、第二立設部１６３５は、高貫通孔６１５Ｂａに圧入されることで、電気的接続を行うことができる。同
この接続の場合、第一光源モジュール６１Ａの高導電片６１５Ａの高端子部が第一端子部の一例に相当し、第二光源モジュール６１Ｂの高導電片６１５Ｂの高端子部が第二端子部の一例に相当し、第一立設部１６３３が第一接続部の一例に相当し、第二立設部１６３５が第二接続部の一例に相当する。なお、第一光源モジュール６１Ａの高貫通孔６１５Ａａが第一貫通孔の一例に相当し、第二光源モジュール６１Ｂの高貫通孔６１５Ｂａが第二貫通孔の一例に相当する。
【００４１】
なお、立設部１６３３，１６３５，１６３７，１６３９の圧入可能な構成は、上述の（２−３−４）の通りである。
【００４２】
＜実施形態３＞
実施形態１の光源ユニット６及び実施形態２の光源ユニットでは、複数枚の光源モジュール６１が複数個の接続部材６３，１６３により直列又は並列で接続されているが、光源ユニット２０６は、複数枚の光源モジュール同士が直接接続されてもよい。
以下、複数枚の光源モジュール同士を直接接続例として、８個の光源モジュール２６１を接続して光源ユニット２０６Ａを構成する場合について説明する。
ここでは、第一光源モジュール２６１Ａ、第二光源モジュール２６１Ｂ及び第三光源モジュール２６１Ｃについて説明する。
なお、第一光源モジュール２６１Ａ、第二光源モジュール２６１Ｂ及び第三光源モジュール２６１Ｃを区別する必要がない場合は、単に、光源モジュール２６１として説明するが、図８では、第一光源モジュール２６１Ａの構成を示す符号には「Ａ」を付し、第二光源モジュール２６１Ｂの構成を示す符号には「Ｂ」を付し、第三光源モジュール２６１Ｃの構成を示す符号には「Ｃ」を付している。図面では「Ａ」、「Ｂ」、「Ｃ」を符号に付している。
ここでは、第一光源モジュール２６１Ａと第二光源モジュール２６１Ｂとの接続を説明し、第二光源モジュール２６１Ｂと第三光源モジュール２６１Ｃとが貫通孔５３ａから延出するケーブル６６に接続されている。なお、第四光源モジュール２６１Ｄの低電位側の低導電片２６１６Ｄａは、接続する相手が他の接続部の形状が分かるように、切り欠かれている。
【００４３】
１．光源モジュール
光源モジュール２６１は、図８に示すように、平面視による形状が「Ｕ」字状の配線体２６１１と、配線体２６１１に実装された１個又は複数個（本実施形態では、例えば１６個）のＬＥＤ素子６１３とを備える。ＬＥＤ素子６１３は、実施形態１のＬＥＤ素子と同じ構成である。
配線体２６１１は複数個（本実施形態では、例えば８個）の導電片２６１４により構成され、複数個の導電片２６１４は互いに離間している。１個又は複数個（本実施形態では、例えば４個）のＬＥＤ素子６１３は離間する２個の導電片２６１４に跨るようにして、配線体２６１１に実装されている。
【００４４】
導電片２６１４は、最も高電位となる高導電片２６１５と、最も低電位となる低導電片２６１６とを含み、高導電片２６１５と低導電片２６１６を他の導電片と区別する。なお、高導電片２６１５と低導電片２６１６とを区別する必要がない場合、導電片２６１４として説明する。
配線体２６１１は、例えば、高電位側の高導電片２６１５の非実装領域に高端子部２６１５ａを、低電位側の低導電片２６１６の非実装領域に低端子部２６１６ａをそれぞれ有する。
【００４５】
２．接続
第一光源モジュール２６１Ａと第二光源モジュール２６１Ｂとが直列接続される場合について説明する。ここでは、第一光源モジュール２６１Ａは第二光源モジュール２６１Ｂよりも高電位側にある。また、第三光源モジュール２６１Ｃの高電位側の高導電片２６１５Ｃａと、第二光源モジュール２６１Ｂの低電位側の低導電片２６１６Ｂａとが貫通孔５３ａから導出するケーブル６６に接続されている。
ここでは、第一光源モジュール２６１Ａの低導電片２６１６Ａの低端子部２６１６Ａａと、第二光源モジュール２６１Ｂの高導電片２６１５Ｂの高端子部２６１５Ｂａとを接続する場合について説明する。
光源モジュール２６１は、例えば、図９に示すように、高端子部２６１５ａに凹部分を有し、低端子部２６１６ａは、他の光源モジュール２６１の高端子部２６１５ａの凹部分に嵌合する凸部分を有している。
第一光源モジュール２６１Ａの低端子部２６１６Ａａの凸部分が、第二光源モジュール２６１Ｂの高端子部２６１５Ｂａの凹部分に嵌合する。これにより、第一光源モジュール２６１Ａが第二光源モジュール２６１Ｂに電気的に接続される。
このように、各光源モジュールにコネクタ等を設けることなく、複数枚の光源モジュールを電気的に直接接続できる。
【００４６】
この接続の場合、第一光源モジュール２６１Ａの低導電片２６１６Ａが第一導電片の一例に相当し、第二光源モジュール２６１Ｂの高導電片２６１５Ｂが第二導電片の一例に相当する。第一光源モジュール２６１Ａの低導電片２６１６Ａの低端子部２６１６Ａａが第一端子部の一例に相当し、第二光源モジュール２６１Ｂの高導電片２６１５Ｂの高端子部２６１５Ｂａが第二端子部の一例に相当する。高端子部２６１５Ｂａが第一端子部及び第二端子部の一方の一例に相当し、低端子部２６１６Ａａが第一端子部及び第二端子部の他方の一例に相当する。
【００４７】
＜実施形態４＞
実施形態３では、複数枚の光源モジュール２６１を直列に接続している。しかしながら、複数枚の光源モジュールを並列に接続してよい。
実施形態４では、図１０に示すように、複数個の光源モジュール３６１を並列する場合について説明する。
【００４８】
光源モジュール３６１は、図１０に示すように、平面視による形状が矩形状の配線体３６１１と、配線体３６１１に実装された１個又は複数個（本実施形態では、例えば８個）のＬＥＤ素子６１３とを備える。
配線体３６１１は複数個（本実施形態では、例えば３個）の導電片により構成され、３個の導電片３６１４は互いに離間している。１個又は複数個（本実施形態では、例えば４個）のＬＥＤ素子６１３は離間する２個の導電片に跨るようにして、配線体３６１１に実装されている。
【００４９】
導電片は、最も高電位となる高導電片３６１５と、最も低電位となる低導電片３６１６とを含み、高導電片３６１５と低導電片３６１６を他の導電片と区別する。なお、図１０では、第一光源モジュール３６１Ａの構成を示す符号には「Ａ」を付し、第二光源モジュール３６１Ｂの構成を示す符号には「Ｂ」を付し、第三光源モジュール３６１Ｃの構成を示す符号には「Ｃ」を付している。
配線体３６１１は、例えば、高電位側の高導電片３６１５もの非実装領域に高端子部３６１５ａを、低電位側の低導電片３６１６の非実装領域に低端子部３６１６ａをそれぞれ有する。
第一光源モジュール３６１Ａの高導電片３６１５Ａの高端子部３６１５Ａａが、隣接する第二光源モジュール３６１Ｂの高導電片３６１５Ｂの高端子部３６１５Ｂａに、例えば実施形態３の接続構造で接続されている。
第一光源モジュール３６１Ａの低導電片３６１６Ａの低端子部３６１６Ａａが、隣接する第二光源モジュール３６１Ｂの低導電片３６１６Ｂの低端子部３６１６Ｂａに、例えば実施形態３の接続構造で接続されている。
【００５０】
この接続の場合、例えば、第一光源モジュール３６１Ａの高導電片３６１５Ａが第一導電片の一例に相当し、第二光源モジュール３６１Ｂの高導電片３６１５Ｂが第二導電片の一例に相当する。第一光源モジュール３６１Ａの高導電片３６１５Ａの高端子部３６１５Ａａが第一端子部の一例に相当し、第二光源モジュール３６１Ｂの高導電片３６１５Ｂの高端子部３６１５Ｂａが第二端子部の一例に相当する。
また、この接続の場合、例えば、第一光源モジュール３６１Ａの低導電片３６１６Ａが第一導電片の一例に相当し、第二光源モジュール３６１Ｂの低導電片３６１６Ｂが第二導電片の一例に相当する。第一光源モジュール３６１Ａの低導電片３６１６Ａの低端子部３６１６Ａａが第一端子部の一例に相当し、第二光源モジュール３６１Ｂの低導電片３６１６Ｂの低端子部３６１６Ｂａが第二端子部の一例に相当する。
【００５１】
以上、実施形態１〜４を説明したが、この実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更があっても本発明に含まれる。
【００５２】
（１）実施形態では発光素子とＬＥＤ素子６１３を利用したが、ＬＤ、ＥＬ素子等の他の発光素子を利用してもよい。
（２）実施形態１，２では、接続部材を利用したが、接続部材と光源モジュールとの電気接続部分に実施形態３、４の光源モジュール同士の接続構造を適用してもよい。逆に、光源モジュール同士の電気接続部分に実施形態１、２における接続部材と光源モジュールとの接続構造を適用してもよい。
【００５３】
（３）実施形態１〜４では、配線体は複数個の導電片により構成していたが、絶縁板と、ＬＥＤ素子用の配線パターンとを有する基板により構成してもよい。この場合、高導電片及び低導電片に相当する部分が配線パターンの端子部となる。
【００５４】
（４）実施形態１では、インサート成形等により複数個の導電片６１４をまとめて樹脂製の筐体と一体化させることを説明したが、例えば、導電片の裏面を接着剤等により筐体に固定してもよい。接着剤としては、絶縁性の硬化型樹脂や可塑性樹脂を利用できる。
【００５５】
（５）実施形態３の光源モジュール２６１は、第一端子部（低端子部）２６１６ａに凸部分を、第二端子部（高端子部）２６１５ａに凹部分を有している。
しかしながら、第一端子部と第二端子部とを接触させた状態で固定する固定具や、第一端子部と第二端子部とを電気的に接続する接続具により、第一光源モジュールと第二光源モジュールとを接続してもよく、例えば、図１１に示すように、第一端子部４６１６Ａａと第二端子部４６１６Ｂａとをピン形状（この部分を「ピン形状部分」とする）とし、短絡ソケット４６３により、第一光源モジュール４６１Ａと第二光源モジュール４６１Ｂとのピン形状部分同士を電気的に接続してもよい。なお、短絡ソケット４６３として、例えばオムロン株式会社より販売されている「形ＸＪ８Ａ短絡ソケット」等を利用できる。
【００５６】
また、第一端子部と第二端子部とを接触する状態で、例えば、ねじ、リベット、スナップリング等の固定具で固定させてもよい。この際、第一端子部と第二端子部とを互いに対向するように屈曲させてもよいし、屈曲させずに両者が重なるようにしてもよい。
【符号の説明】
【００５７】
１    照明装置
６    光源ユニット
６１Ａ  第一光源モジュール
６１Ｂ  第二光源モジュール
６３    接続部材
６１１  配線体
６１３  ＬＥＤ素子（光源素子）
【図１】
2019114329.tif 000003
【図２】
2019114329.tif 000004
【図３】
2019114329.tif 000005
【図４】
2019114329.tif 000006
【図５】
2019114329.tif 000007
【図６】
2019114329.tif 000008
【図７】
2019114329.tif 000009
【図８】
2019114329.tif 000010
【図９】
2019114329.tif 000011
【図１０】
2019114329.tif 000012
【図１１】
2019114329.tif 000013